(57)【要約】【課題】著作権保護された情報であっても、記録媒体を適切に選択することにより、著作権保護違反することなく、一時的に記録媒体に記録し所定の時間や再生回数の間は再生可能にする。【解決手段】著作権保護されている情報をタイムシフトして再生する場合に、著作権保護情報によって一時記憶する媒体を選択する。【選択図】図２
2014142993.tif 000002
【特許請求の範囲】
【請求項１】
ＭＰＥＧ方式で圧縮された映像情報、前記映像情報のタイトル情報を含む付加情報、及び前記映像情報の著作権保護に関する１回のみコピー可／所定回数のコピー可／コピー禁止を示すコピー制御情報を入力する映像情報入力手段と、
前記コピー制御情報に基づいて記録再生を制御する制御手段と、
前記映像情報をＨＤＤである第１の情報記録媒体に記録するための第１の記録手段と、
前記映像情報をＤＶＤまたは半導体メモリである第２の情報記録媒体に記録するための第２の記録手段と、
前記映像情報を伸長して再生する再生手段と、
前記映像情報が記録されてからの時間を管理するための時間管理手段と、
前記第１または前記第２の記録手段を選択する選択手段と
を備え、
前記制御手段は、
前記コピー制御情報が記録禁止であって、一時的に記録が可能であると判断したときには、前記選択手段により定められた前記第１の記録手段を選択して、前記映像情報と、前記映像情報のタイトル情報を含む付加情報と、前記映像情報に関する前記コピー制御情報とを一時的に記録し、前記映像情報を再生する場合であって、再生可能な時間が制限されているときには、前期時間管理手段で管理されている時間に基づいて、前記再生可能な時間を超えていない場合にのみ再生を許可する、
ことを特徴とする記録再生装置。
【請求項２】
ＭＰＥＧ方式で圧縮された映像情報、前記映像情報のタイトル情報を含む付加情報、及び前記映像情報の著作権保護に関する１回のみコピー可／所定回数のコピー可／コピー禁止を示すコピー制御情報を入力するステップと、
前記コピー制御情報に基づいて記録再生を制御するステップと、
前記映像情報をＨＤＤである第１の情報記録媒体に記録するための第１の記録ステップと、
前記映像情報をＤＶＤまたは半導体メモリである第２の情報記録媒体に記録するための第２の記録ステップと、
前記映像情報を伸長して再生するステップと、
前記映像情報が記録されてからの時間を管理するための時間管理ステップと
前記コピー制御情報が記録禁止であって、一時的に記録が可能であると判断したときには、前記選択手段により定められた前記第１の記録手段を選択して、前記映像情報と、前記映像情報のタイトル情報を含む付加情報と、前記映像情報に関する前記コピー制御情報とを一時的に記録し、前記映像情報を再生する場合であって、再生可能な時間が制限されているときには、前期時間管理手段で管理されている時間に基づいて、前記再生可能な時間を超えていない場合にのみ再生を許可するステップと
を有することを特徴とする記録再生方法。
【発明の詳細な説明】
【技術分野】
【０００１】
本発明は、著作権保護された映像情報等を再生または伝送する記録再生装置及び記録再
生方法に関し、特に、例えばＤＶＤ−ＲＡＭ、ＤＶＤ−ＲＷ、ＤＶＤ−Ｒ（ＤＶＤライト
ワンス（ＷＯ））、光磁気ディスク等の光ディスクを用いて情報の記録再生を行う記録再
生装置、磁気ディスク等の記録媒体が装置から取り出し出来ない記録媒体を用いて情報の
記録再生を行う記録再生装置等や、光ディスク等の媒体が装置から取り出し出来る記録媒
体を用いて情報の記録再生を行う記録再生装置等に適用することにより著作権保護された
映像情報等を後で再生するタイムシフト等を行う場合に最適な記録再生装置及び記録再生
方法に関する。
【背景技術】
【０００２】
従来、ＭＰＥＧ等の圧縮技術を用いた画像データや音声データ等の所定のデータに圧縮
した信号を、デジタル衛星やインターネットのディジタル回線等を用いて各コンテンツに
対して著作権保護されている有料な情報を入力し、これを伸長処理して記録再生を行う記
録再生装置が開発されつつある。
【発明の開示】
【発明が解決しようとする課題】
【０００３】
ここで、著作権保護されている有料な情報はコピーが禁止されていて記録することが出
来ないから、有料な情報を入手する契約を行っているにも関わらず、ユーザーが見たいと
きにこの有料情報を見れないと言う問題がある。
本発明は、上述の課題に鑑みてなされたものであり、著作権保護された情報であっても
、記録媒体を適切に選択することにより、著作権保護違反することなく、一時的に記録媒
体に記録し所定の時間や再生回数の間は再生可能にすることを目的とする。
【課題を解決するための手段】
【０００４】
ＭＰＥＧ方式で圧縮された映像情報、前記映像情報のタイトル情報を含む付加情報、及び前記映像情報の著作権保護に関する１回のみコピー可／所定回数のコピー可／コピー禁止を示すコピー制御情報を入力する映像情報入力手段と、前記コピー制御情報に基づいて記録再生を制御する制御手段と、前記映像情報をＨＤＤである第１の情報記録媒体に記録するための第１の記録手段と、前記映像情報をＤＶＤまたは半導体メモリである第２の情報記録媒体に記録するための第２の記録手段と、前記映像情報を伸長して再生する再生手段と、前記映像情報が記録されてからの時間を管理するための時間管理手段と、前記第１または前記第２の記録手段を選択する選択手段とを備え、前記制御手段は、前記コピー制御情報が記録禁止であって、一時的に記録が可能であると判断したときには、前記選択手段により定められた前記第１の記録手段を選択して、前記映像情報と、前記映像情報のタイトル情報を含む付加情報と、前記映像情報に関する前記コピー制御情報とを一時的に記録し、前記映像情報を再生する場合であって、再生可能な時間が制限されているときには、前期時間管理手段で管理されている時間に基づいて、前記再生可能な時間を超えていない場合にのみ再生を許可することを特徴とする記録再生装置を提供する。
ＭＰＥＧ方式で圧縮された映像情報、前記映像情報のタイトル情報を含む付加情報、及び前記映像情報の著作権保護に関する１回のみコピー可／所定回数のコピー可／コピー禁止を示すコピー制御情報を入力するステップと、前記コピー制御情報に基づいて記録再生を制御するステップと、前記映像情報をＨＤＤである第１の情報記録媒体に記録するための第１の記録ステップと、前記映像情報をＤＶＤまたは半導体メモリである第２の情報記録媒体に記録するための第２の記録ステップと、前記映像情報を伸長して再生するステップと、前記映像情報が記録されてからの時間を管理するための時間管理ステップと前記コピー制御情報が記録禁止であって、一時的に記録が可能であると判断したときには、前記選択手段により定められた前記第１の記録手段を選択して、前記映像情報と、前記映像情報のタイトル情報を含む付加情報と、前記映像情報に関する前記コピー制御情報とを一時的に記録し、前記映像情報を再生する場合であって、再生可能な時間が制限されているときには、前期時間管理手段で管理されている時間に基づいて、前記再生可能な時間を超えていない場合にのみ再生を許可するステップとを有することを特徴とする記録再生方法を提供する。
【発明の効果】
【０００５】
本発明に係る記録再生装置は、著作権で一般的に記録出来ないようにされているコンテ
ンツであっても、複数の記録手段の中で媒体を取り出し出来ないような例えばＨＤＤにコ
ンテンツを一時記憶する事により、ユーザーが見たいときに、見ることが出来、また、所
定の時間や回数等の再生制限を設けた制御情報により著作権も維持することが出来る。こ
の時記憶する媒体は、取り出し可能ではないので、前記制御情報やコンテンツが最後まで
管理でき、違法なコピーを防止する事ができる。また、付加情報により、一時記憶してい
る情報が表示されるので、ユーザーに分かり易く、一時記憶したコンテンツを忘れてしま
うことを防止出来、また、期限が切れている情報であっても、情報源信号を保持している
ので、再度見たいときに、例えば新たに課金をすることによって、コンテンツを簡単に見
ることが出来る効果を奏する。  
【発明を実施するための最良の形態】
【０００６】
（Ａ）第１の実施例の構成及び全体的な動作
まず、本発明に係る記録再生装置は、図１に示すようなＨＤＤ記録再生部（装置）及び
ＤＶＤ記録再生部（装置）に適用することができる。この本発明の第１の実施例となるＨ
ＤＤ記録再生部は、トラックに対して、例えば静止画、動画、音声、音楽、サブピクチャ
ー等の所望のデータの記録再生を行うようになっている。
【０００７】
具体的には、ＨＤＤ記録再生部は磁気ヘッド２ａによりディスク１ａ上に記録磁界を形
成し、ディスク１ａ上にデータを記録し再生するようになっている。ＤＶＤ記録再生部は
光ヘッド２ｂによりディスク１ｂ上に光学的スポットを形成し、ディスク１ｂ上にデータ
を記録し再生するようになっている。記録/再生されるデータは、セクタで構成されてい
る。この１セクタは、２０４８バイトのデータと、対応するアドレスデータ等との、計２
０６４バイトで構成されている。そして、１６セクタで１つのＥＣＣブロック（ＥＣＣ：
誤り訂正）が構成されている。
【０００８】
例えば、リモートコントローラ等の操作部４（ＫＥＹ）は、ユーザの操作または入力さ
れる情報それぞれのＨＤＤ記録再生部及びＤＶＤ記録再生部に記録再生の指令を出すよう
になっている。システムコントローラ５（ＳＹＳＴＥＭＣＯＮＴ）は、この操作部４から
の指令を判断して、それぞれの信号処理部６ａ、６ｂ、サーボプロセッサ（ＳＥＲＶＯ）
７ａ、７ｂ、スイッチ（ＳＷ）１２ａ〜１２ｄを制御する。
【０００９】
ＨＤＤ記録再生部のプリアンプ（ＰＡＭＰ）８ａは、磁気ヘッド２ａにより読み出され
た再生出力に基づいて、再生信号とサーボ信号を生成する。サーボプロセッサ７ａは、プ
リアンプ８ａで形成されたサーボ信号に基づいてトラッキング信号を生成し、これをドラ
イバ３ａに供給する。ドライバ３ａは、トラッキング信号に基づいて、磁気ヘッド２ａの
アクチュエータを駆動してトラッキングを制御する。
【００１０】
このような磁気ヘッド２ａ→プリアンプ８ａ→サーボプロセッサ７ａ→ドライバ３ａ→
磁気ヘッド２ａの各信号の流れにより、磁気ヘッド２ａのトラッキングがサーボ制御され
ている。
【００１１】
なお、スピンドルモータＭａにはホール素子（図示せず）が設けられており、このホー
ル素子からの回転位置信号がドライバ3ａを介してサーボプロセッサ７ａに帰還されるよ
うになっている。サーボプロセッサ７ａは、この回転位置信号から生成した速度信号に基
づいて、ドライバ３ａを介してスピンドルモータＭａを一定の回転数に制御している。
【００１２】
プリアンプ８ａは、イコライザで再生信号の周波数特性を最適化してＰＬＬ回路の引き
込みを行う。また、プリアンプ８ａは、ＰＬＬ回路のビットクロックと、データの時間軸
の比較に基づいてジッタ値を生成するジッタ生成回路を有している。システムコントロー
ラ５は、このジッタ生成回路で生成されたジッタ値をＡ／Ｄ変換して取り込み、このジッ
タ値に基づいて記録時における前記波形補正回路の補正量を変更するように構成されてい
る。
【００１３】
また、プリアンプ８ａは、ＰＬＬ回路で生成したディスクの速度信号をサーボプロセッ
サ７ａに供給し、この速度信号により、スピンドルモータＭａを介してディスク１ａを一
定に回転制御している。
【００１４】
信号処理回路６ａは、プリアンプ８ａから出力される再生信号をデジタル信号に変換し
、このデジタル信号を同期検出すると共に、この再生出力を、ディスク１上に記録された
際の記録信号をデコードし、前記１ＥＣＣブロック単位でエラー訂正処理を行い、各セク
タのアドレス信号とデータ信号を得る。信号処理回路６に接続された例えば６４Ｍビット
のＤＲＡＭであるトラックバッファ９（ＴＢ）は、このアドレス信号とデータ信号を記憶
し、映像信号の可変転送レートの時間軸変動の吸収を行う。
【００１５】
同様にＤＶＤ記録再生部のプリアンプ（ＰＡＭＰ）８ｂは、光ヘッド２ｂにより読み出
された再生出力に基づいて、再生信号とサーボ信号を生成する。サーボプロセッサ７ｂは
、プリアンプ８ｂで形成されたサーボ信号に基づいてトラッキング信号を生成し、これを
ドライバ３ｂに供給する。ドライバ３ｂは、トラッキング信号に基づいて、光ヘッド２ｂ
のアクチュエータを駆動してトラッキングを制御する。
【００１６】
このような光ヘッド２ｂ→プリアンプ８ｂ→サーボプロセッサ７ｂ→ドライバ３ｂ→光
ヘッド２ｂの各信号の流れにより、光ヘッド２ｂのトラッキングがサーボ制御されている
。
【００１７】
なお、スピンドルモータＭｂにはホール素子（図示せず）が設けられており、このホー
ル素子からの回転位置信号がドライバ３ｂを介してサーボプロセッサ７ｂに帰還されるよ
うになっている。サーボプロセッサ７ｂは、この回転位置信号から生成した速度信号に基
づいて、ドライバ３ｂを介してスピンドルモータＭｂを一定の回転数に制御している。
【００１８】
プリアンプ８ｂは、イコライザで再生信号の周波数特性を最適化してＰＬＬ回路の引き
込みを行う。また、プリアンプ８ｂは、ＰＬＬ回路のビットクロックと、データの時間軸
の比較に基づいてジッタ値を生成するジッタ生成回路を有している。システムコントロー
ラ５は、このジッタ生成回路で生成されたジッタ値をＡ／Ｄ変換して取り込み、このジッ
タ値に基づいて記録時における前記波形補正回路の補正量を変更するように構成されてい
る。
【００１９】
また、プリアンプ８ｂは、ＰＬＬ回路で生成したディスクの速度信号をサーボプロセッ
サ７ｂに供給し、この速度信号により、スピンドルモータＭｂを介してディスク１ｂを一
定に回転制御している。
【００２０】
信号処理回路６ｂは、プリアンプ８ｂから出力される再生信号をデジタル信号に変換し
、このデジタル信号を同期検出すると共に、この再生出力を、ディスク１ｂ上に記録され
た際の記録信号をデコードし、前記１ＥＣＣブロック単位でエラー訂正処理を行い、各セ
クタのアドレス信号とデータ信号を得る。ＨＤＤ記録再生部と共用に信号処理回路６ｂに
接続された例えば６４ＭビットのＤＲＡＭであるトラックバッファ（ＴＢ）９は、このア
ドレス信号とデータ信号を記憶し、映像信号の可変転送レートの時間軸変動の吸収を行う
。
【００２１】
それぞれの媒体から、それぞれの信号処理部６ａ、６ｂにてトラックバッファ９から読
み出された信号は、制御情報や付加情報を除いて再生すべき映像信号のみを切り出し、シ
スコンの指示によってスイッチ１２ａ〜１２ｂを介して、エンコーダ／デコーダ（ＡＶ  
ＥＮＤＥＣ）１０に供給される。ＡＶ  ＥＮＤＥＣ１０は、この信号を、例えば６４Ｍビ
ットのＤＲＡＭであるバッファメモリ１１に一時的に記憶すると共に適宜読み出し、その
信号が記録された記録モード（後述）を、ディスク１ａ、１ｂ上に記録されているコント
ロールデータに基づいて検出し、この検出した記録モードに対応して、該信号を伸長する
速度を決定する。そして、この伸長速度に従って、複数のＥＣＣブロックからなる１ＧＯ
Ｐ（グループオブピクチャー）のＭＰＥＧ２のデータからオーディオ信号及びビデオ信号
に伸長処理し、オーディオ信号及びビデオ信号に分離して、それぞれ図示しないＤ／Ａコ
ンバータによりアナログ化して出力する。
【００２２】
ＡＶ  ＥＮＤＥＣ１０から出力されたオーディオ信号（Ａ）はオーディオアンプ（ＡＭ
Ｐ）１３に入力され、所定の信号レベルまで増幅された後、スピーカ１４にて再生される
。一方、ＡＶ  ＥＮＤＥＣ１０から出力されたビデオ信号（Ｖ）はＮＴＳＣエンコーダ１
５に入力され、ＮＴＳＣ方式の標準テレビジョン信号に準拠した信号変換されてディスプ
レイであるモニターまたはテレビジョン受像機（ＴＶ）１６に供給され表示される。また
、後述するように一時記憶しているコンテンツのアイコンもディスプレイであるモニター
またはテレビジョン受像機（ＴＶ）１６に供給され表示される。
【００２３】
アンテナ１７にて受信されるディジタル放送波信号やインターネットやケーブルＴＶ網
の入力端子２０から入力される信号は、図４に示すようなパケット単位で入力される。
映像情報Ａの制御情報
再生を制御するための制御情報
映像情報Ａの仕様
映像のタイトル、著作権情報
コピー管理情報  ＣＧＭＳ（CopyGenerationManegimentSystem）
コピー許可禁止（記録禁止、１回のみＯＫ、所定回数ＯＫ）
伝送した日付時間
映像情報Ａの付加情報
映像情報Ａのタイトル
情報源情報
伝送チャンネル、情報提供者、アドレスＵＲＬ、伝送した日付時間
映像情報
コンテンツコード、種類、固体番号、主サブピクチャー、短時間映像
主人公、主演、競演、俳優、原作、監督、音楽、演出
著作権情報
コピー許可禁止（記録禁止、１回のみＯＫ）
【００２４】
アンテナ１７にて受信されたディジタル放送波信号はＤＴＶチューナ１８にて受信され
たＭＰＥＧ等で圧縮されたオーディオ信号・ビデオ信号を含むパケットは伸張処理され、
ＡＶ入力変換部１９の一方の入力端子に供給され、一方、インターネットやケーブルＴＶ
網の入力端子２０に接続されたケーブル変換器（モデム）２１にて選択受信されたオーデ
ィオ信号・ビデオ信号はＡＶ入力変換部１９の他方の入力端子に供給される。ＡＶ入力変
換部１９ではＴＶチューナ１８からのパケット信号（オーディオ信号・ビデオ信号）と、
ケーブル変換器（モデム）２１からのパケット信号（オーディオ信号・ビデオ信号）をＨ
ＤＤまたはＤＶＤに記録する場合に必要なファーマットに変換するファーマット変換を行
い、それを選択切換されてそれぞれスイッチ１２の端子（端子Ｂ１、端子Ｂ２）に供給さ
れるとともに、ＡＶ  ＥＮＤＥＣ１０にも供給される。
【００２５】
なお、スイッチ（ＳＷ）１２ａ、１２ｂはシステムコントローラ５より供給される制御
信号により選択切換できるように構成されており、通常再生時にディスク１ａ、１ｂで再
生されたオーディオ信号・ビデオ信号を再生する際は上側の端子Ａ１および端子Ａ２に選
択切換され、アンテナ１７にて受信された放送波信号や、インターネットやケーブルＴＶ
網の信号を見る場合は下側の端子Ｂ１および端子Ｂ２に選択切換される。
【００２６】
（Ｂ）記録動作
上述した本発明の第１の実施例であるＨＤＤ記録再生部及びＤＶＤ記録再生部では、例
えば、伝送されるパケットの転送レートが８Ｍｂｐｓの信号を２時間分記録可能な高画質
モード、転送レートが４Ｍｂｐｓの信号を４時間分記録可能な中間画質モード、転送レー
トが２Ｍｂｐｓの信号を８時間分記録可能な普通画質モード等の種類の異なる転送レート
での記録が可能となっている。
【００２７】
このため、システムコントローラ５は、ユーザに対して記録モードの選択材料を示すべ
く、記録制御に先だって、各記録モード（各転送レート）に対応するディスク１ａ、１ｂ
上の記録可能領域及び記録不可能領域を判断し、各記録モードでの記録時間及び（又は）
容量を表示する。そして、この表示に基づいてユーザにより選択された記録モードに対応
する記録可能領域に対してデータの記録を行う。
【００２８】
具体的には、それぞれのディスク１ａ、１ｂにおいて、各記録モードでの記録時間及び
（又は）容量を表示する場合、システムコントローラ５は、ディスク１ａ、１ｂの管理領
域中に記録されているデータ領域（記録済み領域）の開始アドレスと終了アドレスをトラ
ックバッファ９に読み出し制御し、このデータ領域の開始アドレスと終了アドレスの間隔
（＝空き領域の容量）から、空き領域の開始アドレスと終了アドレスを特定し、各空き領
域の容量を計算し位置と共に記憶する。これを繰り返し全ての空き領域の容量を計算し位
置情報と共に記憶する。
【００２９】
次に、それぞれの記録すべき２Ｍｂｐｓ、４Ｍｂｐｓ、８Ｍｂｐｓの３種類の転送レー
トの場合において、独立した各空き領域の容量が各転送レートにおいて、連続記録又は連
続再生が可能であるか否かを演算する。
【００３０】
シーク時間については、アドレス間のアドレス差を計算し、システムコントローラ５の
ＲＯＭに記憶されているシークテーブルを参照することにより、アドレス差に基づいたト
ラック移動本数を求める。これに所定の係数演算をすることによって、シーク時間を行う
。
【００３１】
次に、このようにして記録すべき信号の種類を選択し、記録モード（転送レート）の設
定がなされ、記録開始が指示される。また、ＨＤＤ記録再生部では磁気ヘッド２ａを介し
てディスク１ａ上に制御し、磁気ヘッド２ａ内のアドレス再生回路で検出されるアドレス
信号の取り込みを行う。システムコントローラ５は、このアドレス信号に基づいて、サー
ボプロセッサ７ａ及びドライバ３ａを介して記録を行うセクタに磁気ヘッド２ａを移動制
御し、このアドレスで磁気ヘッド２ａを待機状態に制御する。
【００３２】
記録すべき映像信号（及び音声信号）をＧＯＰ単位にＭＰＥＧ圧縮処理し、システムコ
ントローラ５により設定された転送レートに従って、トラックバッファ９の「ＦＵＬＬ」
と「ＥＭＰＴＹ」の値をそれぞれ設定する。この「ＦＵＬＬ」及び「ＥＭＰＴＹ」の値は
、トラックバッファ９に書き込まれるデータの上限値及び下限値をそれぞれ示す値である
。
【００３３】
信号処理回路６ａは、ＡＶ入力変換部で変換され圧縮処理されたデータを所定の記録単
位毎にトラックバッファ９に書き込み制御し、トラックバッファ９に書き込んだデータの
データ量が前記「ＦＵＬＬ」の値になったタイミングで、トラックバッファ９に書き込ま
れたデータの読み出しを開始し、セクタアドレス、シンク信号、エラー訂正コードを付加
しＥＣＣブロック単位のデータとする。そして、このデータを、例えば「２５Ｍｂｐｓ」
の転送レートで磁気ヘッド２ａに転送する。
【００３４】
磁気ヘッド２ａは、トラックバッファ９から読み出されたデータが供給されるまでの間
は、記録すべきトラック上で待機状態（キック待ちの状態）に制御されており、データが
供給されるとこの待機状態が解除され、目的の記録トラックに対してデータの記録を行う
。
【００３５】
また、ＤＶＤでは光ヘッド２ｂを介してディスク１ｂ上に制御し、光ヘッド２ｂ内のア
ドレス再生回路で検出されるアドレス信号の取り込みを行う。システムコントローラ５は
、このアドレス信号に基づいて、サーボプロセッサ７ｂ及びドライバ３ｂを介して記録を
行うセクタに光ヘッド２ｂを移動制御し、このアドレスで光ヘッド２ｂを待機状態に制御
する。
【００３６】
記録すべき映像信号（及び音声信号）をＧＯＰ単位にＭＰＥＧ圧縮処理し、システムコ
ントローラ５により設定された転送レートに従って、トラックバッファ９の「ＦＵＬＬ」
と「ＥＭＰＴＹ」の値をそれぞれ設定する。この「ＦＵＬＬ」及び「ＥＭＰＴＹ」の値は
、トラックバッファ９に書き込まれるデータの上限値及び下限値をそれぞれ示す値である
。信号処理回路６ｂは、ＡＶ入力変換部で変換され圧縮処理されたデータを所定の記録単
位毎にトラックバッファ９に書き込み制御し、トラックバッファ９に書き込んだデータの
データ量が前記「ＦＵＬＬ」の値になったタイミングで、トラックバッファ９に書き込ま
れたデータの読み出しを開始し、セクタアドレス、シンク信号、エラー訂正コードを付加
しＥＣＣブロック単位のデータとする。そして、このデータを、例えば「２５Ｍｂｐｓ」
の転送レートで光ヘッド２ｂに転送する。
【００３７】
光ヘッド２ｂは、トラックバッファ９から読み出されたデータが供給されるまでの間は
、記録すべきトラック上で待機状態（キック待ちの状態）に制御されており、データが供
給されるとこの待機状態が解除され、目的の記録トラックに対してデータの記録を行う。
【００３８】
（Ｃ）再生動作
ＨＤＤ記録再生部の再生モードとなると、システムコントローラ５は、ディスク１ａ上
の管理領域に記録されているデータ領域（記録済み領域）の開始アドレス及び終了アドレ
スに基づいて、間欠的に記録されているそのデータの記録位置を検索し、それぞれ順に再
生するように磁気ヘッド２ａを移動再生制御する。また、システムコントローラ５は、こ
の再生信号のうち、映像信号のコントロールデータ中に記録されている、そのデータが記
録された際の圧縮レートを検出し、この圧縮レートに対応するように、前記「ＦＵＬＬ」
と「ＥＭＰＴＹ」の値をそ
れぞれトラックバッファ９に対して設定する。
【００３９】
ディスク１ａから再生されたデータは、前記２５Ｍｂｐｓの転送レートでトラックバッ
ファ９に転送され書き込まれる。システムコントローラ５は、トラックバッファ９の記憶
容量の残量を監視しており、残量が「ＥＭＰＴＹ」となったタイミングでトラックバッフ
ァ９に書き込まれたデータを、そのデータの記録時における転送レートで読み出し制御し
、これをＡＶ  ＥＮＤＥＣ１０に供給する。
【００４０】
また、残量が「ＦＵＬＬ」となったタイミングで、磁気ヘッド２ａを待機状態に制御し
、トラックバッファ９からデータの読み出し制御のみを行う。そして、トラックバッファ
９からデータの読み出しのみを行うことで、前記残量が「ＥＭＰＴＹ」となったタイミン
グで、データの再生を再開するように磁気ヘッド２ａを再生制御する。これにより、ディ
スク１ａ上から間欠的にデータを再生しながらも、トラックバッファ９から再生されるデ
ータを連続的に再生することができ、データの連続性を確保した再生を行うことができる
。
【００４１】
ＡＶ  ＥＮＤＥＣ１０は、トラックバッファ９から読み出されたデータをバッファメモ
リ１１に対して書き込み／読み出し制御しながらＭＰＥＧ伸長処理等を施すことにより、
映像データと音声データを分離形成し、これらを図示しないＤ／Ａ変換器を介して出力す
る。これにより、ディスク１ａ上に記録した連続的な映像及び音声を、例えば、テレビジ
ョン受像機１６を介して視聴することができる。
【００４２】
ＤＶＤ記録再生部の再生モードとなると、システムコントローラ５は、ディスク１ｂ上
の管理領域に記録されているデータ領域（記録済み領域）の開始アドレス及び終了アドレ
スに基づいて、間欠的に記録されているそのデータの記録位置を検索し、それぞれ順に再
生するように光ヘッド２ｂを移動再生制御する。
【００４３】
また、システムコントローラ５は、この再生信号のうち、映像信号のコントロールデー
タ中に記録されている、そのデータが記録された際の圧縮レートを検出し、この圧縮レー
トに対応するように、前記「ＦＵＬＬ」と「ＥＭＰＴＹ」の値をそれぞれトラックバッフ
ァ９に対して設定する。
【００４４】
ディスク１ｂから再生されたデータは、前記２５Ｍｂｐｓの転送レートでトラックバッ
ファ９に転送され書き込まれる。システムコントローラ５は、トラックバッファ９の記憶
容量の残量を監視しており、残量が「ＥＭＰＴＹ」となったタイミングでトラックバッフ
ァ９に書き込まれたデータを、そのデータの記録時における転送レートで読み出し制御し
、これをＡＶ  ＥＮＤＥＣ１０に供給する。また、残量が「ＦＵＬＬ」となったタイミン
グで、光ヘッド２ｂを待機状態（キック待ちの状態）に制御し、トラックバッファ９から
データの読み出し制御のみを行う。そして、トラックバッファ９からデータの読み出しの
みを行うことで、前記残量が「ＥＭＰＴＹ」となったタイミングで、データの再生を再開
するように光学ヘッド２を再生制御する。これにより、ディスク１ｂ上から間欠的にデー
タを再生しながらも、トラックバッファ９から再生されるデータを連続的に再生すること
ができ、データの連続性を確保した再生を行うことができる。
【００４５】
ＡＶ  ＥＮＤＥＣ１０は、トラックバッファ９から読み出されたデータをバッファメモ
リ（ＢＦ）１１に対して書き込み／読み出し制御しながらＭＰＥＧ伸長処理等を施すこと
により、映像データと音声データを分離形成し、これらを図示しないＤ／Ａ変換器を介し
て出力する。これにより、ディスク１ｂ上に記録した連続的な映像及び音声を、例えば、
テレビジョン受像機１６を介して視聴することができる。
【００４６】
ここにおける、ＴＢ９はＨＤＤ記録再生部及びＤＶＤ記録再生部において、それぞれの
信号処理部に接続されて、領域を分割したり、時間軸分割して使用することにより、共通
に使用されるようになっており、コストダウンが図られている。また、外部からのまた外
部への転送を行わずに、シスコンの制御の基に、ＤＶＤからＨＤＤへ、逆に、ＨＤＤから
ＤＶＤへ、ＴＢを介して情報をコピーする事が出来る構成になっている。ここで本案の特
有な処理を図２のフローチャートに従って説明する。
【００４７】
必要に応じて、外部から情報の入力として、映像情報Ａ、映像情報Ａの制御情報、映像
情報Ａの付加情報を入力する（ステップ１００）。そして、再生指示状態かどうかを判断
し（ステップ１１０）、再生指示状態であるとき（ステップ１１０でＹ）は、パケット情
報に従って、映像情報Ａのみを抽出してＡＶ  ＥＮＤＥＣ１０から再生する。その時に、
映像情報Ａの制御情報を読み出し、解読し、一時記憶手段（半導体メモリかＨＤＤかＤＶ
Ｄ）に映像情報Ａの制御情報であるコピー許可か一度のみＯＫか禁止かのコピー管理情報
に従って、一度再生したことと、タイトルとコンテンツ固体番号と、再生した日付等を記
録して履歴として今後の管理に用いることとする（ステップ１２０）。
【００４８】
次に、再生指示でない場合（ステップ１１０でＮ）は、例えば、再生中に電話があった
等で席を外す場合に、入力している情報Ａを一時記憶指示状態として検出し（ステップ１
３０でＹ）、その時に、制御情報であるコピー許可か一度のみＯＫか禁止かのコピー管理
情報に従って、コピー許可または一度のみＯＫのフラグであれば（ステップ１４０でＹ）
、ＨＤＤまたはＤＶＤのどちらかユーザーまたは初期設定またはディスク有無の状況によ
って決定した媒体へ記録移行する（ステップ１５０）。
【００４９】
一方、記録禁止の場合（ステップ１４０でＮ）は、媒体をＨＤＤとし、前記ＨＤＤに一
時記憶する時には、記録再生装置ＨＤＤから映像情報Ａの記録再生制御情報の履歴を検索
し、検索結果から一時記録可能か（過去に映像情報Ａの制御情報として記録時に残してあ
る再生を行ったかの履歴情報を調査）過去の所定期間日付内に再生を行っている場合には
再生出来ない、または所定回数再生した場合には再生出来ない等を判定する（ステップ１
６０）。
【００５０】
記録可能な場合（ステップ１６０でＹ）、映像情報Ａと映像情報Ａの制御情報と映像情
報Ａの付加情報を一時記憶手段（ここではＨＤＤ）の所定の領域にそれぞれ記録する。こ
の時、コピー管理情報によって、この情報が再生する場合の期間が限定されている場合は
、この装置が機能としている持っている日付時計手段による時間情報を同時に記録し、情
報Ａの時間管理を開始する（ステップ１７０）。
【００５１】
次に、記録した映像情報Ａの付加情報を読み出し（読み出すのはＨＤＤ記録再生部に記
録した情報でもＴＢ９の情報でもよい）これを解釈し、付加情報としてこのコンテンツＡ
情報のタイトル他をＡＶ  ＥＮＤＥＣ１０を介してディスプレイ表示部にタイトル、サム
ネイル等を表示（アイコンのように）し、再生すべき情報がＨＤＤ記録再生部の中に存在
していることの表示を行う（ステップ１８０）。この一時記憶コンテンツが多くなると、
複数のサムネイルが画面に入りきらないので、図３に示すようにリスト表示およびボタン
表示のようにして、大きさを縮小してもよい。図３の左下の図は、１つのコンテンツの代
表的な画面の静止画等を示すサムネイルとして、タイトル情報、入力したチャンネル、記
録した日付時間、コンテンツの提供メーカーの情報（コマーシャル）（この情報を表示す
ることによりコンテンツ送出側はコマーシャルのよって収益を得ることが出来るのでコン
テンツによる課金金額を少なくすることが出来る）等の情報からなる。このサムネイルは
この主情報である映像情報とリンクしていて、この情報を選択することにより、この主情
報である映像情報を再生することが出来る。このサムネイル情報は、記録動作を続けてい
くと増加していくので、表示画面から逸脱しないように、所定の画面より増える場合ぬ１
には、図３の右下のように、再生ボタン、タイトル、記録日等のリストに変更する。これ
により、多くの再生途中の情報を管理することが出来る。
【００５２】
次に、ＫＥＹ４またはアイコン入力位置をマウス等又はリモコン等のプレイやポーズ解
除等入力手段で、ＨＤＤに記録されているコンテンツＡを再生する場合は、アイコン等で
再生すべきコンテンツをユーザーが選択し（ステップ１９０）、再生指示状態かを検出し
（ステップ２００）、前記のようにＡ情報の記録した時間と現在時間を比較し、時間制限
を超えているか、または記録してある再生回数に対して再生回数制限になるかを比較し（
ステップ２１０）、超えていない、つまり、再生許可の場合（ステップ２１０でＮ）はＨ
ＤＤ上の映像情報Ａのみを読み出し、ＡＶ  ＥＮＤＥＣ１０を介してモニターから再生し
、再生後にはＨＤＤ上の映像情報Ａの前記制御情報を更新し、いつ一回再生したことを記
録する（ステップ２２０）。また、一回のみの再生や予め定められていた所定の回数を再
生してしまい再生禁止の場合（ステップ２１０でＹ）はＨＤＤ上の映像情報Ａの制御情報
を禁止に変更し、ＨＤＤ上の映像情報Ａの削除を行い、表示した付加情報のタイトル、サ
ムネイル等をモニター上から削除する（ステップ２３０）。この場合、例えば課金の情報
を視聴するときに再生すべき期間を過ぎても再生を行っていない場合では、有料情報であ
るにも関わらず情報を見ることが出来ないという問題があるので、この場合は、前記表示
した付加情報のタイトル、サムネイル等をモニター上から削除しないで、期限が切れてい
ることをユーザに表示すると共に、再度情報Ａを見るために、必要な情報源信号を表示し
たり、この情報源信号を用いてインターネット等の通信回線を介して、再度情報Ａを取り
に行くことが出来るようにすることで、多忙なユーザの視聴権を維持することが出来る。
【００５３】
次に、記録処理について説明する。記録可能な場合（ステップ１５０でＹ）は、映像情
報Ａと映像情報Ａの制御情報と映像情報Ａの付加情報を一時記憶手段（ここではＤＶＤ）
の所定の領域にそれぞれ記録する（ステップ２４０）。次に、記録した映像情報Ａの付加
情報を読み出し（読み出すのはＤＶＤに記録した情報でもＴＢ９の情報でもよい）これを
解釈し、付加情報としてこのコンテンツＡ情報のタイトル他をＡＶ  ＥＮＤＥＣ１０を介
してディスプレイ表示部にタイトル、サムネイル等を表示（アイコンのように）し、再生
すべき情報がＤＶＤの中に存在していることの表示を行う（ステップ２５０）。この一時
記憶コンテンツが多くなると、複数のサムネイルが画面に入りきらないので、前記のよう
にリスト及びボタン表示のようにして、大きさを縮小してもよい。
【００５４】
次に、ＫＥＹ４またはアイコン入力位置をマウス等又はリモコン等のプレイやポーズ解
除等入力手段で、ＤＶＤに記録されているコンテンツＡを再生する場合は、アイコン等で
再生すべきコンテンツをユーザーが選択し（ステップ２６０）、再生指示状態かを検出し
（ステップ２７０）、再生指示状態である場合（ステップ２７０でＹ）は、ＤＶＤ上の映
像情報Ａのみを読み出し、ＡＶ  ＥＮＤＥＣ１０を介してモニター１６から再生し、再生
後にはＤＶＤ上の映像情報Ａの前記制御情報を更新し、いつ一回再生したことを記録する
（ステップ２８０）。
【００５５】
このようにコピー制御情報によって、記録再生の媒体を制御することによって、違法な
コピーを防止でき、また、コピー許可されている情報はユーザーの好きな媒体に記録でき
ユーザーの使い勝手が向上する。また、本装置では、ＨＤＤ装置とＤＶＤ装置のＴＢを共
通に用いているため情報の直接転送を可能とし、また、コストダウンが可能である。
【００５６】
本実施例では、取り出し可能な第二の媒体として、ＤＶＤ等の光ディスクを対象に説明
しているが、第二、第三、第四の媒体として、個体半導体メモリー（コンパクトフラッシ
ュ、メモリースティック、ＳＤカード）や、ＦＤＤ、リムーバブルＨＤＤ、ＭＤ（ミニデ
ィスク）等であっても良く、第二に対して、第三、第四の媒体の使い分けの方法としては
、記録すべきコンテンツの転送レート、コンテンツの種類（音楽、映像等）、ファイルの
サイズ等によって選 択する。そして、本発明は一例として説明した上述の実施例に限定
されることはなく、上述の実施例以外であっても、本発明に係る技術的思想を逸脱しない
範囲であれば、設計等に応じて種々の変更が可能であることは勿論である。
【図面の簡単な説明】
【００５７】
【図１】本発明の実施例の構成を示すブロック図である。
【図２】本発明の実施例の動作を説明するためのフローチャートである。
【図３】本発明の実施例の表示例を説明するための図である。
【図４】本発明の実施例のパケットの一例を説明するための図である。
【符号の説明】
【００５８】
１ａ、１ｂ…ディスク、
２ａ…磁気ヘッド、
２ｂ…光学ヘッド、
３ａ、３ｂ…ドライバ、
４…操作部、
５…システムコントローラ、
６ａ、６ｂ…信号処理部、
７ａ、７ｂ…サーボプロセッサ、
８ａ、８ｂ…プリアンプ、
９…トラックバッファ（ＴＢ）、
１０…エンコーダ／デコーダ（ＡＶ  ＥＮＤＥＣ）、
１１…バッファメモリ（ＢＦ）、
１２ａ、１２ｂ、１２ｃ、１２ｄ…スイッチ、
１３…アンプ、
１４…スピーカ、
１５…ＮＴＳＣエンコーダ、
１６…モニタ、
１７…アンテナ、
１８…ＤＴＶチューナ、
１９…ＡＶ入力切換器、
２０…入力端子、
２１…ケーブル変換器（モデム）
【図１】
2014142993.tif 000003
【図２】
2014142993.tif 000004
【図３】
2014142993.tif 000005
【図４】
2014142993.tif 000006